(57)【要約】【課題】複数の光源が光っているように見せることができるとともに、所望の範囲に均一に光を出射することができる光学部品およびこの光学部品を備えた照明装置を提供する。【解決手段】光学部品１は、光源からの光が入射する入射面１１と、入射面１１から入射した光を第二反射面２０，２１，２２に反射する第一反射面１７と、第一反射面１７で反射した光をそれぞれの方向に反射する第二反射面２０，２１，２２と、第二反射面２０，２１，２２で反射した光を出射する複数の出射面１４と、を備えている。したがって、複数の光源が光っているように見せることができるとともに、所望の範囲に均一に光を出射することができる。【選択図】図１
2018088366.tif 000002
【特許請求の範囲】
【請求項１】
光源からの光が入射する入射面と、この入射面から入射した光を反射する第一反射面と、この第一反射面で反射した光をそれぞれの方向に反射する複数の互いに離間した第二反射面と、この第二反射面で反射した光を出射する複数の出射面と、を備えていることを特徴とする光学部品。
【請求項２】
前記複数の第二反射面の、前記入射面に直交する軸に対する角度は、前記入射面から離れた位置にある前記第二反射面ほど小さくなっていることを特徴とする請求項１に記載の光学部品。
【請求項３】
前記複数の出射面は、すべて平行に配置されていることを特徴とする請求項１または２に記載の光学部品。
【請求項４】
前記入射面と前記出射面以外の外面に反射膜が設けられていることを特徴とする請求項１から３のいずれか１項に記載の光学部品。
【請求項５】
前記出射面には、光を集束または発散するレンズ部材が設けられていることを特徴とする請求項１から４のいずれか１項に記載の光学部品。
【請求項６】
前記第一反射面と前記第二反射面との間に設けられた対向する２つの側面部の間隔が、前記入射面側から前記出射面側に向けて広がっていることを特徴とする請求項１から５のいずれか１項に記載の光学部品。
【請求項７】
請求項１から６のいずれか１項に記載の光学部品と、この光学部品の前記入射面に光を入射する光源と、を備えることを特徴とする照明装置。
【発明の詳細な説明】
【技術分野】
【０００１】
本発明は、光学部品および照明装置に関する。
【背景技術】
【０００２】
従来、自動車の車内天井部等に設けられ、車内を照らす照明装置（ルームランプ）が知られている（例えば、特許文献１および２）。照明装置は、例えば、車内前方の天井部に設けられ、運転席や助手席において地図を見る際等に、手元を照明するために使用される。
このような照明装置は、手元を見やすくするために、特定範囲を均一に照らすことが求められる。
【先行技術文献】
【特許文献】
【０００３】
【特許文献１】国際公開第２０１３／１０２９９６号
【特許文献２】特開２００３−２９９９８７号公報
【発明の概要】
【発明が解決しようとする課題】
【０００４】
ところで、例えば特許文献１に記載の照明装置のように、照明装置のＬＥＤ光源が下方向に向けられており、光をレンズによる屈折で所望の方向に導こうとした場合、屈折させることができる角度には限界があるので、運転席や助手席等の所望の範囲を均一に照射することが困難という問題がある。
また、例えば特許文献２に記載の照明装置のように、ＬＥＤ光源を傾けることによって、照射方向を調整する場合、照射したい方向毎にＬＥＤ基板を傾ける必要がある等して、部品数が増加してしまうといった問題がある。
また、照明装置は内装の一部であることから、特徴的な光り方をするデザイン性の高い照明装置が求められている。例えば、照明装置を見たときに複数の光源が光っているように見える照明装置が求められている。
【０００５】
本発明は、前記事情に鑑みてなされたもので、複数の光源が光っているように見せることができるとともに、所望の範囲に均一に光を出射することができる光学部品およびこの光学部品を備えた照明装置を提供することを目的とする。
【課題を解決するための手段】
【０００６】
前記目的を達成するために、本発明の光学部品は、光源からの光が入射する入射面と、この入射面から入射した光を反射する第一反射面と、この第一反射面で反射した光をそれぞれの方向に反射する複数の互いに離間した第二反射面と、この第二反射面で反射した光を出射する複数の出射面と、を備えていることを特徴とする。
【０００７】
本発明においては、光学部品は、入射面から入射した光を、第一反射面で反射し、この第一反射面で反射した光を、複数の第二反射面のそれぞれで反射し、複数の出射面から出射する。したがって、複数の出射面それぞれから光が出射され、複数の光源が光っているように見える。
また、第一反射面および第二反射面で光を反射させることによって、光の進む方向を変えているので、レンズ等の屈折により光を導く光学部品では導くことができない方向にも光を導くことができる。したがって、光を導きたい方向に導くことができ、所望の範囲に均一に光を出射することができる。
【０００８】
また、本発明の前記構成において、前記複数の第二反射面の、前記入射面に直交する軸に対する角度は、前記入射面から離れた位置にある前記第二反射面ほど小さくなっていることが好ましい。
【０００９】
このような構成によれば、複数の第二反射面のうちの、それぞれで反射される光が、平行に近い状態となって進むように、光を反射させることができる。したがって、より多くの光を導きたい方向に導くことができ、所望の範囲により多くの光を届けることができる。
【００１０】
また、本発明の前記構成において、前記複数の出射面は、すべて平行に配置されていることが好ましい。
【００１１】
このような構成によれば、複数の出射面のそれぞれから出射される光は、同一の方向に向かうこととなる。したがって、より多くの光を導きたい方向に導くことができ、所望の範囲により多くの光を届けることができる。また、出射面の配置に統一感が生まれるので、光学部品のデザイン性を高めることができる。
【００１２】
また、本発明の前記構成において、前記入射面と前記出射面以外の外面に反射膜が設けられていることが好ましい。
【００１３】
このような構成によれば、光学部品内部の光は反射膜で反射されるので、出射面以外の部分から光が出射されるのを防ぎ、入射面から入射した光が、反射膜がない場合に比べて確実に複数の出射面から出射されるので、反射膜がない場合に比べてはっきりと複数の光源が光っているように見せることができる。また、入射面から入射した光が、反射膜がない場合に比べて確実に複数の出射面から出射されるので、同じ光源を使用した場合であっても、より多くの光を所望の範囲に導くことができ、所望の範囲を明るく照明することができる。
【００１４】
また、本発明の前記構成において、前記出射面には、光を集束または発散するレンズ部材が設けられていることが好ましい。
【００１５】
このような構成によれば、レンズ部材で光を集束または発散させることができるので、入射面から光学部品に入射し、出射面に導かれる光が、必要以上に発散または集束してしまう場合に、レンズ部材で光の向かう方向を調整し、所望の範囲を所望の明るさで照明することができる。
【００１６】
また、本発明の前記構成において、前記第一反射面と前記第二反射面との間に設けられた対向する２つの側面部の間隔が、前記入射面側から前記出射面側に向けて広がっていることが好ましい。
【００１７】
このような構成によれば、２つの側面部の間隔が、入射面側から出射面側に向けて広がっているので、入射面側から側面部に向かってくる光は、２つの側面部が平行に設けられている場合に比べ、出射面側に向けて反射されることとなる。したがって、出射面に向かう光を集光させることができ、２つの側面部が平行に設けられている場合に比べ、はっきりと複数の光源が光っているように見せることができる。
【００１８】
また、本発明の照明装置は、前記構成の光学部品と、この光学部品の前記入射面に光を入射する光源と、を備えることを特徴とする。
【００１９】
このような構成によれば、前記各光学部品と同様の作用効果を、照明装置で得ることができる。
【発明の効果】
【００２０】
本発明によれば、複数の光源が光っているように見せることができるとともに、所望の範囲に均一に光を出射することができる。
【図面の簡単な説明】
【００２１】
【図１】本発明の実施の形態を示すもので、照明装置をＬＥＤ側から見た斜視図である。
【図２】同、光学部品を入射面側から見た斜視図である。
【図３】同、光学部品を出射面側から見た斜視図である。
【図４】同、光学部品を第一反射面側から見た図である。
【図５】同、照明装置をＬＥＤと逆側から見た斜視図である。
【図６】同、ＬＥＤから出射面への光の進路を示す図である。
【図７】同、照明装置を車のルームランプとして用いる場合の、照明装置を並べた状態を示す斜視図である。
【発明を実施するための形態】
【００２２】
以下、図面を参照しながら、本発明の実施の形態について説明する。
本実施の形態の光学部品は、例えば、車の車内天井部等に設けられる照明装置等に用いられる。
光学部品１は、図１に示すように、ＬＥＤ２と共に用いることで、照明装置３として使用することができる。なお、図１は、照明装置３の内部が見えるように、光学部品１を保持する保持部材３０の、図１における手前側の壁部を透過させて照明装置３を表している。
【００２３】
光学部品１は、図２および図３に示すように、入射面１１、出射面１４、第一反射面１７、第二反射面２０，２１，２２、側面２５，２６、第一平面１２、第二平面１８、第三平面２３、第四平面２４、突出部１３および係止部１５ａ，１５ｂ，１５ｃを備え、光学樹脂により一体的に成形されている。
【００２４】
光学部品１は、図２および図３に示すように、ＬＥＤ２（光源）側を向く長方形状の入射面（入射部）１１（図１参照）と、その反対側の面で、入射面１１に略平行な、長方形状の第一平面１２と、を備えている。
第一平面１２には、入射面１１と逆側に突出するようにして、三角柱状の突出部１３が、６つ設けられている。また、突出部１３は、第一平面１２に、三角柱の側面のうちの１つを当接させたような状態で、第一平面１２と一体的に設けられている。また、６つの突出部１３は、第一平面１２の長辺方向に離間して３列に並べて設けられており、第一平面１２の短辺方向に離間して２列に並べて設けられている。また、突出部１３である三角柱の側面のうちの１つは、出射面（出射部）１４（１４ａ，１４ｂ，１４ｃ，１４ｄ，１４ｅ，１４ｆ）となっている。つまり、出射面１４は、第一平面１２の長辺方向における一方の端部１２ａ側から、他方の端部１２ｂ側に向かって、出射面１４ａ，１４ｂ、出射面１４ｃ，１４ｄ、そして出射面１４ｅ，１４ｆの順に２つずつ並べて、計６つ設けられている。また、６つの出射面１４は、同一の方向を向くようにして配置されている。すなわち、６つの出射面１４は、すべて平行になるようにして配置されている。
また、隣り合う出射面の間隔は等しくなるように配置されている。すなわち、出射面１４ａと出射面１４ｂとの間隔、出射面１４ｃと出射面１４ｄとの間隔および出射面１４ｅと出射面１４ｆとの間隔は、等しくなっている。また、出射面１４ａと出射面１４ｃとの間隔、出射面１４ｃと出射面１４ｅとの間隔、出射面１４ｂと出射面１４ｄとの間隔および出射面１４ｄと出射面１４ｆとの間隔は、等しくなっている。このような配置とすることにより、照明としてのデザイン性が向上する。
【００２５】
入射面１１と第一平面１２とは、略平行であり、互いに対向している。また、入射面１１は、第一平面１２よりも長辺および短辺の長さが短くなっている。また、入射面１１と第一平面１２とは、入射面１１の長辺方向における一方の端部１１ａと第一平面１２の長辺方向における一方の端部１２ａとが、それぞれの長辺の延びる方向において略一致する位置に配置されており、そこから同一の方向に長辺が延びるようにして配置されている。
【００２６】
また、入射面１１の端部１１ａから、入射面１１の長辺方向外側に突出するようにして、係止部１５ａが設けられている。また、係止部１５ａは、ＬＥＤ２側を向く面が、入射面１１と面一となっている。
また、第一平面１２の端部１２ａ側の短辺から、入射面１１側に向けて、第一平面１２に対して直交する当接面１６が配置されている。また、当接面１６の、第一平面１２と逆側の辺から、第一平面１２の長辺方向外側に突出するようにして、係止部１５ｂが設けられている。つまり、係止部１５ｂは、第一平面１２側の面が、第一平面１２よりも入射面１１側に位置している。
【００２７】
入射面１１の端部１１ａから係止部１５ａを挟んで第一平面１２側には、第一反射面１７が、入射面１１側から第一平面１２側に向かって延びるようにして配置されている。また、第一反射面１７は、光学部品１の内側の面が、入射面１１側および後述する第二反射面２０，２１，２２側を向くようにして配置されている。また、第一反射面１７は、入射面１１側から第一平面１２側に向かって、入射面１１の端部１１ａ側からもう一方の端部１１ｂ側に向けて傾くようにして、入射面１１に垂直な方向に対して傾いた状態で配置されている。言い換えると、第一反射面１７は、入射面１１側から第一平面１２側に向かうにつれて、入射面１１の長辺方向における光学部品１の幅を狭めるようにして配置されている。
【００２８】
また、第一反射面１７の、入射面１１と逆側の辺から、係止部１５ｂ側に向けて延びるように、第二平面１８が配置されている。第二平面１８の係止部１５ｂ側の辺は、第一平面１２の長辺方向における位置が、当接面１６と同一となっている。つまり、係止部１５ｂは、第二平面１８および当接面１６から第一平面１２の長辺方向外側に突出するようにして設けられている。
【００２９】
また、光学部品１は、３つの第二反射面２０，２１，２２と、第三平面２３と、第四平面２４とを備えている。これらは、入射面１１の端部１１ｂ側の短辺から、第一平面１２の端部１２ｂ側の短辺に向かって、第二反射面２０、第三平面２３、第二反射面２１、第四平面２４、第二反射面２２の順に配置されている。また、ここで、第三平面２３および第四平面２４は、入射面１１および第一平面１２に略平行な長方形状の平面である。また、第二反射面２０，２１は、入射面１１に対して、第一反射面１７と同じ方向に傾けて配置されている。また、第二反射面２２は、入射面１１および第一平面に略垂直な面となっている。
【００３０】
第二反射面２０は、入射面１１の端部１１ｂ側の短辺から、第一平面１２側に向かって延びるようにして配置されている。また、第二反射面２０は、光学部品１の内側の面が、第一反射面１７側および出射面１４ａ，１４ｂ側を向くようにして配置されている。また、第二反射面２０は、入射面１１側から第一平面１２側に向かうにつれて、入射面１１の長辺方向における光学部品１の幅を広げるようにして配置されている。つまり、第二反射面２０は、第一平面１２側が、入射面１１側よりも、第一平面１２の長辺方向において第一平面１２の端部１２ｂ側に位置している。
【００３１】
また、第二反射面２０の、入射面１１と逆側の辺から、第一平面１２の端部１２ｂ側に延びるようにして、入射面１１と略平行な第三平面２３が配置されている。また、第三平面２３は、光学部品１の外側の面がＬＥＤ２側（第一平面１２と逆側）を向き、光学部品１の内側の面が第一平面１２と対向した状態となっている。
【００３２】
また、第二反射面２１は、第三平面２３の第二反射面２０と逆側の辺から、第一平面１２側に向かって延びるようにして配置されている。また、第二反射面２１は、光学部品１の内側の面が、第一反射面１７側および出射面１４ｃ，１４ｄ側を向くようにして配置されている。また、第二反射面２１は、入射面１１側から第一平面１２側に向かうにつれて、入射面１１の長辺方向における光学部品１の幅を広げるようにして配置されている。つまり、第二反射面２１は、第一平面１２側が、入射面１１側よりも、第一平面１２の長辺方向において第一平面１２の端部１２ｂ側に位置している。つまり、第二反射面２１は、入射面１１、第一平面１２および第三平面２３に対して、第一反射面１７および第二反射面２０と同じ方向に傾けて配置されている。また、第二反射面２１は、入射面１１に直交する軸に対する角度が、第二反射面２０よりも小さくなっている。また、後述する第二反射面２２は、入射面１１に直交する軸に対する角度が、第二反射面２１よりも小さくなっている。
【００３３】
また、第二反射面２１の、第三平面２３と逆側の辺から第一平面１２の端部１２ｂ側に延びるようにして、入射面１１と略平行な第四平面２４が配置されている。また、第四平面２４は、光学部品１の外側の面がＬＥＤ２側（第一平面１２と逆側）を向き、光学部品１の内側の面が第一平面１２と対向した状態となっている。
【００３４】
また、第四平面２４の、第二反射面２１と逆側の辺は、第一平面１２の長辺方向において、第一平面１２の端部１２ｂ側の辺と、略同一の位置に位置している。また、第四平面２４および後述する第二反射面２２から、第一平面１２の長辺方向外側に突出するようにして、係止部１５ｃが設けられている。また、係止部１５ｃは、ＬＥＤ２側（第一平面１２と逆側）を向く面が、第四平面２４と面一となっている。
【００３５】
また、第四平面２４から係止部１５ｃを挟んで、第一平面１２側には、第二反射面２２が配置されている。また、第二反射面２２は、第一平面１２に対して直交するようにして、第一平面１２の端部１２ｂ側の短辺から、第四平面２４側（入射面１１側）に向かって配置されている。また、第二反射面２２は、光学部品１の内側の面が、第一反射面１７側および出射面１４ｅ，１４ｆ側を向くようにして配置されている。
【００３６】
また、光学部品１は、入射面１１、第一反射面１７、第二反射面２０，２１，２２、第一平面１２、第二平面１８、第三平面２３および第四平面２４に囲まれた平面である２つの側面（側面部）２５，２６を備えている。つまり、光学部品１は、入射面１１の２つの長辺それぞれから、第一平面１２の２つの長辺それぞれに向けて延びる側面２５，２６を備えている。
【００３７】
前述のように、第一平面１２は、入射面１１よりも短辺方向の長さが長いので、側面２５と側面２６との間隔は、入射面１１側よりも第一平面１２側の方が広くなっている。また、図４に示すように、第一反射面１７側（あるいは第二反射面２０，２１，２２側）から光学部品１を見たときに、側面２５および側面２６は、入射面１１に垂直な方向に対して同一の方向に傾いた状態となっている。なお、側面２５または２６は、入射面１１に直交するようになっていてもよい。また、側面２５と側面２６が、第一反射面１７側から光学部品１を見たときに、入射面１１に垂直な方向に対して異なる方向に傾いた状態となっていてもよい。また、側面２５または側面２６は、それぞれ１つの平面で構成されていてもよく、複数の平面で構成されていてもよい。
【００３８】
また、光学部品１は、入射面１１および出射面１４以外の部分の外面に、反射膜が設けられている。また、この反射膜は、蒸着により形成されている。
【００３９】
次に、この光学部品１を用いた照明装置について説明する。
光学部品１は、図１に示すように、ＬＥＤ２と組み合わせることで、照明装置３として使用することができる。照明装置３は、光学部品１と、ＬＥＤ２と、保持部材３０と、を備えている。なお、光源はＬＥＤに限らず、他の発光素子等を用いてもよい。
【００４０】
光学部品１は、角筒状の保持部材３０によって保持されている。保持部材３０には、１つの壁部３１に、係止部１５ａ，１５ｂをそれぞれ挿入するための、長方形状の２つの穴３０ａ，３０ｂが設けられている。また、保持部材３０には、壁部３１に対向する壁部３２に、係止部１５ｃを挿入するための長方形状の穴３０ｃが設けられている。そして、穴３０ａ，３０ｂ，３０ｃに、係止部１５ａ，１５ｂ，１５ｃがそれぞれ挿入されることで、光学部品１が保持部材３０に係止されている。
また、保持部材３０に保持された光学部品１は、当接面１６および第二反射面２２（図２または図３参照）が、保持部材３０の内面に当接または近接した状態となっている。
また、図５に示すように、保持部材３０の一方の開口面と第一平面１２とは、ほぼ面一となっている。つまり、保持部材３０の一方の開口面から、保持部材３０の外側に向かって、突出部１３が突出した状態となっている。なお、図５は、照明装置３の内部が見えるように、保持部材３０の図１における手前側の壁部を透過させて照明装置３を表している。
なお、保持部材３０は、光を反射させる機能を備えていてもよい。また、この際、光学部品１は、反射膜を備えていなくてもよく、備えていてもよい。
【００４１】
また、照明装置３のＬＥＤ２は、図示しない基板に設けられている。そして、ＬＥＤ２が設けられた基板に、保持部材３０が取り付けられることで、光学部品１が、ＬＥＤ２に対して所定の位置に固定されている。
また、ＬＥＤ２は、入射面１１に対向するようにして、入射面１１の長辺方向に沿って、２個配置されている。なお、ＬＥＤ２は、１個でもよく、３個以上設けられていてもよい。このＬＥＤ２の個数は、実現したい照明装置の明るさ等に応じて、適宜選択すればよい。また、ＬＥＤ２は、入射面１１の長辺方向に沿って設けられていなくてもよく、例えば、入射面１１の短辺方向に沿って設けられている等してもよい。
【００４２】
ＬＥＤ２から放射され、光学部品１に入射する光の進む方向を図６に示す。
まず、ＬＥＤ２から放射された光は、入射面１１から光学部品１の内部に取り入れられる。
次いで、入射面１１から入射した光の一部は、第一反射面１７に向かう。
次いで、第一反射面１７に向かった光は、第一反射面１７で反射される。ここで、ＬＥＤ２からの光は、入射面１１側に向かって広がりをもって出射されるので、ＬＥＤ２からの光は、第一反射面１７に対して様々な入射角で入射し、反射される。そこで、この第一反射面１７で反射される光のうち、代表的な３つの光Ｌ１，Ｌ２，Ｌ３について図６に示すとともに説明する。
【００４３】
光Ｌ１は、第一反射面１７で反射され、次いで、第二反射面２０に向かう。
次いで、この光Ｌ１は、第二反射面２０で反射され、出射面１４ａ（１４ｂ）に向かう。
次いで、この光Ｌ１は、出射面１４ａ（１４ｂ）から出射される。
つまり、光Ｌ１は、ＬＥＤ２から出射され、入射面１１から光学部品１の内部に入射し、第一反射面１７で反射され、第二反射面２０で反射され、出射面１４ａ（１４ｂ）から光学部品１の外側に向かって出射される。
このとき、出射面１４ａ（１４ｂ）に向かう光Ｌ１の進行方向に対して、出射面１４ａ（１４ｂ）が直角となるように、出射面１４ａ（１４ｂ）が配置されていると、光学部品１から出射される光が屈折することなく真っ直ぐ進むようにすることができる。
【００４４】
また、光Ｌ２は、第一反射面１７で反射され、次いで、第二反射面２１に向かう。
次いで、この光Ｌ２は、第二反射面２１で反射され、出射面１４ｃ（１４ｄ）に向かう。
次いで、この光Ｌ２は、出射面１４ｃ（１４ｄ）から出射される。
つまり、光Ｌ２は、ＬＥＤ２から出射され、入射面１１から光学部品１の内部に入射し、第一反射面１７で反射され、第二反射面２１で反射され、出射面１４ｃ（１４ｄ）から光学部品１の外側に向かって出射される。
【００４５】
また、光Ｌ３は、第一反射面１７で反射され、次いで、第二反射面２２に向かう。
次いで、この光Ｌ３は、第二反射面２２で反射され、出射面１４ｅ（１４ｆ）に向かう。
次いで、この光Ｌ３は、出射面１４ｅ（１４ｆ）から出射される。
つまり、光Ｌ３は、ＬＥＤ２から出射され、入射面１１から光学部品１の内部に入射し、第一反射面１７で反射され、第二反射面２２で反射され、出射面１４ｅ（１４ｆ）から光学部品１の外側に向かって出射される。
【００４６】
以上のように、第一反射面１７は、入射面１１から光学部品１の内部に入射した光を、少なくとも３つの第二反射面２０，２１，２２に向けて反射するように配置されている。また、第二反射面２０は、第一反射面１７からの光を少なくとも出射面１４ａおよび１４ｂに向けて反射するように配置されている。また、第二反射面２１は、第一反射面１７からの光を少なくとも出射面１４ｃおよび１４ｄに向けて反射するように配置されている。また、第二反射面２２は、第一反射面１７からの光を少なくとも出射面１４ｅおよび１４ｆに向けて反射するように配置されている。したがって、第二反射面２０，２１，２２は、第一反射面１７で反射した光線を、複数の光束に分割する機能を有しているということができる。
【００４７】
また、出射面１４ａ，１４ｂ，１４ｃ，１４ｄ，１４ｅ，１４ｆは、平行に配置されており、光Ｌ１と光Ｌ２と光Ｌ３とは、図６に示すように、光学部品１から略同一の方向に向かって出射されるようになっている。なお、第二反射面２０，２１，２２の向きを変えたり、各出射面１４の向きを変えたりすることで、光Ｌ１と光Ｌ２と光Ｌ３とが、それぞれ別の方向に向かうようにしてもよい。
【００４８】
このような構成の光学部品においては、入射面（入射部）１１から入射した光が、第一反射面１７で複数の方向に反射され、この第一反射面１７で複数の方向に反射された光が、第二反射面２０，２１，２２で反射され、６つの出射面１４（出射部）から出射される。したがって、ＬＥＤ２等の光源が６個設けられていない場合であっても光学部品１により、６つの光源が光っているように見せることができる。これにより、光学部品１を用いた照明装置のデザイン性を高めたりすることができる。
また、光源からの光を、屈折のみによって光を導く光学部品により所望の方向に導こうとした場合には、出射面に対してある程度以上の角度で入射する光は、全反射してしまうので、光源からの光が進む方向に対して一定以上の角度に導くことができないという問題がある。本構成の光学部品においては、第一反射面１７および第二反射面２０，２１，２２で光を反射させることによって、光の進む方向を変えているので、レンズ等の屈折により光を導く光学部品では導くことができない方向にも光を導くことができる。よって、光を導きたい方向に導くことができ、照明したい範囲の中心に光を導いたり、照明したい範囲内等の複数箇所にバランスよく光を導いたりすることができ、所望の範囲内で光のムラ、筋、影等が生じないように、光を均一に出射することができる。
また、第二反射面２０、第二反射面２１、第二反射面２２は、入射面１１から離れた位置にある第二反射面ほど、入射面１１に直交する軸に対する角度が小さくなっているので、第一反射面１７で反射され、第二反射面２０，２１，２２のそれぞれに向かった光は、それぞれの光が向かう方向が平行に近づくように第二反射面２０，２１，２２によって反射される。したがって、より多くの光を導きたい方向に導くことができ、所望の範囲により多くの光を届けることができる。
【００４９】
また、このように、第一反射面１７に向けて放射されるＬＥＤ２の光を、６つの出射面１４から所望の方向に向かうように出射させることができるので、光源が複数あるように見える照明装置３を実現する際に、ＬＥＤ２を複数用意したり、これら複数のＬＥＤ２が設けられた基板をそれぞれ傾ける等して、ＬＥＤ２からの光の放射方向を調整したりする必要がない。このため、照明装置３を製造する際に必要な部品の数や、製造工程数を削減することができる。
また、６つの出射面１４は、すべて平行に配置されているので、６つの出射面１４から、同一の方向に向けて光を出射させることができる。したがって、多くの光を導きたい方向に導くことができ、所望の範囲により多くの光を届けることができる。
また、光学部品１は、曲面を設けることなく形成することもできるという利点もある。
【００５０】
また、このような構成の光学部品においては、光学部品１内部の光は反射膜で反射されるので、出射面１４以外の部分から光が出射されるのを防ぎ、入射面１１から入射した光が、反射膜がない場合に比べて確実に複数の出射面１４から出射される。したがって、反射膜がない場合に比べてはっきりと複数の光源が光っているように見せることができる。また、入射面１１から入射した光が、反射膜がない場合に比べて確実に複数の出射部から出射されるので、同じ光源を使用した場合であっても、より明るく所望の範囲を照明することができる。
【００５１】
また、各出射面１４にはレンズ部材が設けられていてもよい。例えば、出射面１４が平面である場合に、光学部品１から出射される光が発散しすぎてしまう場合には、出射面１４に凸レンズを設けることで、出射面１４から出射される光を集束させることができる。また、出射面１４が平面である場合に、光学部品１から出射される光が集束しすぎてしまう場合には、出射面１４に凹レンズを設けることで、出射面１４から出射される光を発散させることができる。また、出射面１４から出射される光の方向をレンズ部材によって調整することもできる。したがって、このような構成によれば、レンズ部材で光の向かう方向を調整し、所望の範囲を所望の明るさで照明することができる。また、所定範囲を均一に照明したい場合に、レンズ部材により、均一の程度を調整することもできる。
なお、レンズ部材は、光学部品１と同様の樹脂材料等によって光学部品１と一体的に形成されていてもよく、光学部品１の出射面１４に接着等により設けられるものであってもよい。また、出射面１４に設けられるレンズ部材は、フレネルレンズ等であってもよい。
【００５２】
また、このような構成の光学部品においては、第一反射面１７と前記第二反射面２０，２１，２２との間に設けられた対向する２つの側面（側面部）２５，２６の間隔が、入射面１１側から出射面１４側に向けて広がっているので、側面２５と側面２６との間を反射しながら入射面１１側から出射面１４側に向かう光は、側面２５（２６）から側面２６（２５）に向かう力が徐々に弱まり、入射面１１側から出射面１４側に向かう力が反射の度に強まる。つまり、光は、側面２５から側面２６に向かう方向に関して、側面２５，２６での反射により集光されることとなる。したがって、２つの側面部が平行に設けられている場合等に比べ、はっきりと複数の光源（各出射面１４）が光っているように見せることができる。
【００５３】
また、本実施の形態の照明装置３は、例えば、２つの照明装置３を、車の車内天井部に設けることで、車のルームランプとして使用することができる。以下では、車の前部座席（運転席と助手席）の間に設けられ、前部右側座席と、前部左側座席とをそれぞれ均一に照明するルームランプについて説明する。
ルームランプは、図７に示すように、２つの照明装置３を備える。この２つの照明装置３は、入射面１１が天井側、第一平面１２が床側を向くようにして、車内天井部の、運転席と助手席の間に設けられる。また、２つの照明装置３は、車の左右方向（車の進行方向に向かって左右）に並べて設けられる。なお、図７は、図７における手前側の壁部を透過させて照明装置３を表している。
図７に示すように、前部左側座席側に設けられる照明装置３Ａ（光学部品１）は、上述の照明装置３（光学部品１）と同様の形状であるが、右側座席側に設けられる照明装置３Ｂ（光学部品１）は、保持部材３０の壁部３２に平行な面（入射面１１に略垂直な面）を中心として照明装置３全体を反転させた面対称な形状となっている。また、２つの照明装置３は、光学部品１の側面２５が車の進行方向前方を向くようにして、壁部３２を対向させた状態で車の左右方向に並べて設けられる。つまり、前部左側座席側には、上述の照明装置３（光学部品１）が設けられ、前部右側座席側には、この照明装置３（光学部品１）と左右（車に設置した状態における左右）対称な照明装置３（光学部品１）が設けられる。
なお、前部右側座席側に上述の照明装置３を設け、この照明装置３と左右対称な照明装置３を、２つの照明装置３の保持部材３０の壁部３１を対向させた状態で、左側座席側に設けることとしてもよい。つまり、２つの照明装置３の側面２５または側面２６は、どちらの側面が車の前方を向くように設けられてもよく、照明装置３の設けられる位置と、照明したい位置との関係等に応じて適宜選択すればよい。
また、２つの照明装置３のＬＥＤ２は、同一の基板上に設けられていてもよく、別の基板上に設けられていてもよい。
【００５４】
また、左側に設けられる照明装置３Ａは、光学部品１の６つの出射面１４から出射された光が、前部左側座席の、例えば座席に座った人が地図を広げた際における地図の中心が来ると推定される位置に向かうように、配置される。
また、右側に設けられる照明装置３Ｂは、光学部品１の６つの出射面１４から出射された光が、前部右側座席の、例えば座席に座った人が地図を広げた際における地図の中心が来ると推定される位置に向かうように、配置される。
このように、車の左右方向中心部に設けられた照明装置３から左右の座席の狙った位置に光が向かうようにできるのは、光学部品１によって、ＬＥＤ２の光を、ＬＥＤ２から放射される光の方向に対して大きい角度を持った位置に光を導くことができるからである。通常の光学部品では、ＬＥＤ２から放射される光を、十分な角度をつけて導くことができず、車の左右方向外側に光を十分に届けることができない等して、所望の範囲を均一に照明することができないことがあるが、本実施の形態の光学部品１を用いることで、所望の範囲を均一に照明することができる。
なお、それぞれの光学部品１の６つの出射面１４のうちの各出射面１４から出射される光は、全てが一方向（例えば、座席に座った人が地図を広げた際における地図の中心）に向かうようにする必要はない。例えば、６つの出射面１４からの光が放射状に出射されるように光学部品１を成形した方が、所定範囲を均一に照明する照明装置３とすることができる場合にはこのようにしてもよい。また、均一に照明するのではなく、６つの出射面１４からの光が、バラバラの方向に向かうようにして、印象的な光り方をするようにしてもよい。
【００５５】
このようなルームランプ（照明装置）によれば、車内の各前部座席における所望の位置を均一に照明することができる。また、ルームランプを見たときに、複数の光源が光っているように見せることができ、車内のデザイン性を高めることができる。また、ＬＥＤ２が設けられる基板やＬＥＤ２自体を、天井部に対して傾けて設ける必要がなく、ルームランプを少ない部品点数で実現することができる。
【符号の説明】
【００５６】
１  光学部品
２  ＬＥＤ（光源）
３，３Ａ，３Ｂ  照明装置
１１  入射面
１４，１４ａ，１４ｂ，１４ｃ，１４ｄ，１４ｅ，１４ｆ  出射面
１７  第一反射面
２０，２１，２２  第二反射面
２５，２６  側面（側面部）
【図１】
2018088366.tif 000003
【図２】
2018088366.tif 000004
【図３】
2018088366.tif 000005
【図４】
2018088366.tif 000006
【図５】
2018088366.tif 000007
【図６】
2018088366.tif 000008
【図７】
2018088366.tif 000009